(57)【要約】【課題】顔部又は頭部の皮膚近傍の血行をより促進することができるマッサージ具を提供する。【解決手段】このマッサージ具１は、電気機械部材２２、２３、２４を収容するとともに、選択スイッチ２１が露設された長尺の把持部２と、把持部２に固定されてその一端から延出し、選択スイッチ２１の操作に応じて熱せられる固定軸部３と、固定軸部３の先端部の周りに回動可能状態で配置され、固定軸部３の熱を受けて顔部又は頭部の皮膚に接触させる表面まで伝達する炭素成形体４１を有する皮膚接触部４と、を備えてなる。【選択図】図１
0003194033.tif 000002
【実用新案登録請求の範囲】
【請求項１】
電気機械部材を収容するとともに、選択スイッチが露設された長尺の把持部と、
該把持部に固定されてその一端から延出し、前記選択スイッチの操作に応じて熱せられる固定軸部と、
該固定軸部の先端部の周りに回動可能状態で配置され、固定軸部の熱を受けて顔部又は頭部の皮膚に接触させる表面まで伝達する炭素成形体を有する皮膚接触部と、を備えてなることを特徴とするマッサージ具。
【請求項２】
請求項１に記載のマッサージ具において、
前記皮膚接触部は、前記炭素成形体の表面に、ダイヤモンドライクカーボンの被膜が設けられていることを特徴とするマッサージ具。
【請求項３】
請求項１又は２に記載のマッサージ具において、
前記固定軸部は、前記選択スイッチの操作により振動することを特徴とするマッサージ具。
【考案の詳細な説明】
【技術分野】
【０００１】
本考案は、顔部又は頭部のマッサージのためのマッサージ具に関する。
【背景技術】
【０００２】
近年、顔部については美容のため、頭部については髪の育成促進のために、それらをマッサージ具を用いてマッサージし皮膚近傍の血行を良くすることが広く行われている。顔部のマッサージのためのマッサージ具の中には、長尺状の把手部の先端にローラーを回動自在に設け、それを顔部に押し当てて往復させることによってマッサージするものがある（例えば、特許文献１及び２）。また、頭部のマッサージのためのマッサージ具の中には、長尺状の把手部の先端に多数の弾性突起を持つヘッド部に設け、弾性突起の先端を頭皮に押し当てることによってマッサージするものがある（例えば、特許文献３）。
【先行技術文献】
【特許文献】
【０００３】
【特許文献１】特開２００８−０３６２４７号公報
【特許文献２】特開２０１０−１３１０９０号公報
【特許文献３】特開平０９−１２２１９２号公報
【考案の概要】
【考案が解決しようとする課題】
【０００４】
しかしながら、特許文献１〜３を含めた従来のマッサージ具は、そのマッサージ効果の面で、具体的には顔部又は頭部の皮膚近傍の血行をより促進するという面で、改善の余地があると思われる。
【０００５】
本考案は、係る事由に鑑みてなされたものであり、その目的は、顔部又は頭部の皮膚近傍の血行をより促進することができるマッサージ具を提供することにある。
【課題を解決するための手段】
【０００６】
上記目的を達成するために、請求項１に記載のマッサージ具は、電気機械部材を収容するとともに、選択スイッチが露設された長尺の把持部と、該把持部に固定されてその一端から延出し、前記選択スイッチの操作に応じて熱せられる固定軸部と、該固定軸部の先端部の周りに回動可能状態で配置され、固定軸部の熱を受けて顔部又は頭部の皮膚に接触させる表面まで伝達する炭素成形体を有する皮膚接触部と、を備えてなることを特徴とする。
【０００７】
請求項２に記載のマッサージ具は、請求項１に記載のマッサージ具において、前記皮膚接触部は、前記炭素成形体の表面に、ダイヤモンドライクカーボンの被膜が設けられていることを特徴とする。
【０００８】
請求項３に記載のマッサージ具は、請求項１又は２に記載のマッサージ具において、前記固定軸部は、前記選択スイッチの操作により振動することを特徴とする。
【考案の効果】
【０００９】
本考案のマッサージ具によれば、皮膚接触部の温度を高めて顔部又は頭部の皮膚に押し当て、炭素成形体からの熱伝導と遠赤外線放射により、皮膚近傍の温度を効率的に高めながらマッサージすることができ、その結果、皮膚近傍の血行をより促進することができる。
【図面の簡単な説明】
【００１０】
【図１】本考案の実施形態に係るマッサージ具１の断面を示すものであって、（ａ）が模式的断面図、（ｂ）が固定軸部３の近傍の拡大断面図である。
【図２】同上のマッサージ具１の外観を縮小して示すものであって、（ａ）が斜視図、（ｂ）が底面側から観察した斜視図である。
【図３】炭素成形体の遠赤外線放射の特性図である。
【図４】同上のマッサージ具１の炭素成形体４１の変形例の拡大断面図である。
【考案を実施するための形態】
【００１１】
以下、本考案を実施するための好ましい形態を説明する。本考案の実施形態に係るマッサージ具１は、顔部又は頭部のマッサージのためのマッサージ具であって、図１（ａ）及び（ｂ）、図２（ａ）及び（ｂ）に示すように、長尺の把持部２と、把持部２に固定され、その一端から延出する固定軸部３と、固定軸部３の先端部の周りに回動可能状態で配置される皮膚接触部４と、を備えている。図１（ａ）においては、把持部２の内部の構成について、電気機械部材とその電気配線（破線部分）を模式的に示している。
【００１２】
把持部２は、長尺、すなわち大略長筒状の箱体であり、底部に外部からの操作が可能なように選択スイッチ２１を露設し（露出させて設け）ている。また、把持部２は、内部に、電気機械部材である電池２２、２２’、サーモスタット２３、モータ２４などを収容している。電池２２、２２’は、選択スイッチ２１の操作により、固定軸部３を熱するために後述の発熱体３２に通電してそれを発熱させたり、固定軸部３を振動させるためにモータ２４に通電して回転運動をさせたりする。モータ２４の回転運動は振動を生じさせ、その振動は振動伝達手段２４Ａを介して固定軸部３に伝達される。なお、把持部２には、固定軸部３の中間部までその周りを囲む突出部２ａが形成されている。
【００１３】
図１（ａ）に示すこの実施形態は、選択スイッチ２１によりオンとオフの２個の状態を選択できるものとし、オンの状態で固定軸部３を熱し、かつ、振動させるようにしたものである。より詳細には、電池２２の正極とサーモスタット２３の一端子の間、サーモスタット２３の他端子と発熱体３２の一端子の間、発熱体３２の他端子と電池２２’の負極の間、にそれぞれ電気配線が設けられ、また、電池２２の正極とモータ２４の一端子の間、モータ２４の他端子と電池２２’の負極の間、にそれぞれ電気配線が設けられ、電池２２’の正極と選択スイッチ２１の一端子の間、選択スイッチ２１の他端子と電池２２の負極の間、にそれぞれ電気配線が設けられている。オフ状態（図において選択スイッチ２１が右にスライドした状態）にあると、２個の電池２２、２２’間は電気的に接続されず、オン状態（図において選択スイッチ２１が左にスライドした状態）では、２個の電池２２、２２’間が電気的に接続され、発熱体３２とモータ２４はともに通電状態となり、固定軸部３は熱せられ、かつ、振動する。
【００１４】
選択スイッチ２１や電気機械部材、及びその電気配線は、仕様に合わせて、適宜変更することが可能である。例えば、選択スイッチ２１を２個設け、それぞれのオンの状態で固定軸部３を熱したり振動させたりすることも可能である。また、電池２２、２２’の部分は、１個又は３個以上の一次電池や充電池に変更することが可能であり、また、装着状態で充電可能なようにすることも可能である。
【００１５】
サーモスタット２３は、皮膚接触部４の表面、すなわち皮膚に接触する部分が適温（例えば、最高温度４０〜４５℃程度）になるように制御するためのものであり、温度検出部分が後述の固定軸本体３１に接触して配設されている。サーモスタット２３は温度検出部分が検出する温度に従って、発熱体３２の通電を制御する。
【００１６】
固定軸部３は、熱伝導性が高い筒状の固定軸本体３１（例えば、アルミニウム製やステンレス鋼製など）、その内部に通電により熱を発生する発熱体３２、固定軸本体３１と後述の炭素成形体４１の間に設けられるベアリング３３、３３’と、固定軸本体３１の先端に着脱自在に取り付けられ留め部材３４を有している。発熱体３２は、例えば、絶縁体で被覆したニクロム線を固定軸本体３１の基端近傍から先端近傍まで往復させて配設したものを用いることができる。固定軸本体３１は、発熱体３２によって熱せられ、熱を皮膚接触部４に伝えるとともに、前述のサーモスタット２３により温度が検出される。ベアリング３３、３３’は、内側面が固定軸本体３１、外側面が炭素成形体４１に接触するように炭素成形体４１の両端部に設けられている。なお、ベアリング３３、３３’の構造は既知のベアリングと同様であるので説明は省略する。留め部材３４は、皮膚接触部４が固定軸本体３１の先端側から外れないように留め、また、先端側のベアリング３３’を保護する。
【００１７】
皮膚接触部４は、使用者がマッサージ具１を皮膚に押し当てて往復運動をさせると、それに追従して回動するものである。皮膚接触部４は、固定軸部３の熱を受けて皮膚に接触させる表面まで伝達する炭素成形体４１から主に成る。
【００１８】
この炭素成形体４１は、焼成により高密度で整った炭素の結晶構造が等方（方向によらず）に形成されており、全体が一体的に形成されるもので、以下のように製造することができる。すなわち、黒鉛、又は炭化物（竹炭など）の炭素粉にバインダを５重量％程度加えて固め、水圧などで等方に加圧して所定の塊（例えば方形もの）に成形する。そして、酸素が欠乏した状態で加熱し、２５００〜３５００℃程度で長時間かけて焼成する。この状態で、原料の炭素粉同士は結合し炭素が結晶化（黒鉛化、定形炭素化）する。なお、バインダは昇温途中の１０００〜１２００℃程度で揮発させる。その後、加熱を止め、温度を下げ、所望の形状に加工する。このようにして出来あがった炭素成形体４１は、バインダが揮発しているので、ほぼ１００％（９９％以上）が炭素材となっている。また、かさ密度（かさ比重）は、１．７７Ｍｇ／ｍ３以上である。
【００１９】
炭素成形体４１は、一体の結晶構造であるために、物理的強度が高く、また熱伝導率も高い（１００〜１４０Ｗ／（ｍ・Ｋ）程度）。また、放射する遠赤外線の量が多く（図３参照）、温度が高いほど多い。なお、図３は、炭素成形体４１の製造方法と同様にして製造した２５×２５×２（ｍｍ）の炭素成形体の遠赤外線放射特性である。実線が炭素成形体、破線が黒体の放射輝度である。分析装置は日本電子製フーリエ変換赤外分光光度計ＪＩＲ−５５００型／赤外放射ユニットＩＲ―ＩＲＲ２００を用い、測定温度は５０℃とした。
【００２０】
炭素成形体４１は、図１（ｂ）に示すように、略円柱状であって、固定軸部３が挿入される挿入孔４１ａが中心軸の位置に貫通して形成されている。また、挿入孔４１ａの両方の開口部近傍には、前述のベアリング３３、３３’が嵌め込まれる凹部４１ｂ、４１ｂ’が形成されている。炭素成形体４１は、例えば、外径が１５〜３０ｍｍ程度、軸方向の長さが３０〜５０ｍｍ程度とすることができる。挿入孔４１ａの内径は、固定軸部３の外径よりも若干大きくして（例えば、０．１ｍｍ程度）、固定軸部３から炭素成形体４１への熱伝導を極力妨げないようにする。
【００２１】
炭素成形体４１は、皮膚への接触が容易となるように種々の形状を採用することが可能である。例えば、図４に示すような複数の環状の溝４１ｃを形成することも可能である。
【００２２】
皮膚接触部４の炭素成形体４１は、その表面にダイヤモンドライクカーボン（ＤＬＣ）の被膜４２（例えば、厚みが２〜４μｍ程度）が設けられている。このダイヤモンドライクカーボンの被膜４２は、プラズマＣＶＤやＰＶＤなどにより、気相成長させて結晶構造の炭素が形成されるものであり、炭素成形体４１との密着性が良く、しかも、硬質である。また、殺菌性を得るために、ダイヤモンドライクカーボンの気相成長時にフッ素及び／又は銀を混合することも可能である。
【００２３】
このマッサージ具１の使用方法は以下のとおりである。すなわち、使用者は、把持部２を手で持って選択スイッチ２１を操作し、固定軸部３を熱しかつ振動させ、皮膚接触部４を皮膚に押し当てて適当な力で往復運動をさせることによって皮膚をマッサージする。
【００２４】
この往復運動に追従して、皮膚接触部４は回動する。皮膚接触部４は、炭素成形体４１の物理的強度が高く被膜４２が硬質であるので、摩耗や破損が起こり難い。また、炭素成形体４１や被膜４２は、人体を形成する有機物の構成物質と同じであるため、皮膚に接触したときそれに馴染むものであり、人体への安全性が高い。それらは、金属やプラスチックでないので、金属アレルギーや化学物質アレルギーが生じないのは勿論である。
【００２５】
選択スイッチ２１の操作により固定軸部３が熱せられると、固定軸部３の熱は皮膚接触部４の炭素成形体４１に伝導し、その温度は高くなる。炭素成形体４１は、皮膚に、熱伝導により直に熱を伝えるとともに、温度が高くなるに従って量が多くなった遠赤外線を放射する。この遠赤外線は、皮膚近傍の深部を加温する。これら伝導熱と遠赤外線の輻射熱により皮膚近傍の温度は効率的に高められるので、皮膚接触部４による圧力との相乗効果により、皮膚近傍の血行をより促進することができるのである。
【００２６】
また、炭素成形体４１は、熱伝導率が高いので、固定軸部３が挿入される挿入孔４１ａから表面までの温度の降下が少ない。そのため、発熱体３２の温度を余り高くせずに済むとともに、固定軸本体３１に接触しているサーモスタット２３による温度制御の精度も良くなる。
【００２７】
また、選択スイッチ２１の操作により固定軸部３が振動すると、振動は皮膚接触部４を介して皮膚近傍に伝えられる。この振動によって、皮膚近傍の血行を更に促進することができる。
【００２８】
以上、本考案の実施形態に係るマッサージ具１について説明したが、本考案は、上述の実施形態に記載したものに限られることなく、実用新案登録請求の範囲に記載した事項の範囲内でのさまざまな設計変更が可能である。例えば、マッサージ具１に振動の機能を設けないことも場合によっては可能である。この場合、上記のモータ２４などは不要になる。
【符号の説明】
【００２９】
１      マッサージ具
２      把持部
２１    選択スイッチ
２２、２３、２４    電気機械部材
３      固定軸部
４      皮膚接触部
４１    炭素成形体
４１ａ  挿入孔
４２    被膜
【図１】
0003194033.tif 000003
【図２】
0003194033.tif 000004
【図３】
0003194033.tif 000005
【図４】
0003194033.tif 000006